(57)【要約】【課題】複数の無線通信装置の間において、簡単な入出力の切替え操作で、無線伝送を切替えることができる無線通信装置と、無線通信方法を提供する。【解決手段】複数の入出力端子を持つ機器に接続するインターフェース３１−１，３１−２，３１−３と、他の無線通信装置との間で情報を交換して、各入出力端子にそれぞれ接続される機器の情報を記憶する情報記憶部３６と、複数の入出力端子を持つ機器の入出力切替え動作に応じて、切り替えられた入出力端子に接続される機器の情報を送受信する無線通信部３５、無線受信部３７とを備え、各入出力端子にそれぞれ接続される機器の情報を他の無線通信装置と関連付けして管理し、複数の入出力端子を持つ機器の入出力切替えに応じて、各入出力端子に接続される機器の情報を送受信する。【選択図】　図３
2004135078.tif 000002
【特許請求の範囲】
【請求項１】
複数の入出力端子を持つ機器に接続された無線通信装置において、
複数の入出力端子を持つ機器に接続するインターフェース手段と、
他の無線通信装置との間で各入出力端子にそれぞれ接続される機器の情報を交換する接続情報交換手段と、
各入出力端子にそれぞれ接続される機器の情報を記憶する記憶手段と、
上記複数の入出力端子を持つ機器の入出力切替え動作に応じて、切り替えられた入出力端子に接続される機器の情報を送受信する情報送受信手段と、
を備え、上記各入出力端子にそれぞれ接続される機器の情報を他の無線通信装置と関連付けして管理し、上記複数の入出力端子を持つ機器の入出力切替えに応じて、各入出力端子に接続される機器の情報を送受信することを特徴とする無線通信装置。
【請求項２】
請求項１記載の無線通信装置において、
他の無線通信装置との間で無線ネットワークを形成するネットワーク形成手段と、
上記複数の入出力端子を持つ機器の入出力切替え動作に応じて、ネットワークの制御局となる無線通信装置に対して所定の無線伝送路を確保して伝送帯域予約を行なう伝送帯域予約手段と、
を備え、上記情報送受信手段は上記伝送帯域予約を行なった領域にて情報を送受信し、上記各入出力端子にそれぞれ接続される機器の情報を他の無線通信装置と関連付けして管理し、上記複数の入出力端子を持つ機器の入出力切替えに応じて、無線通信を行なうために所定の無線伝送路を確保して、情報を送受信することを特徴とする無線通信装置。
【請求項３】
複数の入出力端子を持つ機器に接続された無線通信装置における無線通信方法において、
上記複数の入出力端子を持つ機器の入出力切替えを行う入出力切替ステップと、
上記入出力切替に応じて、選択された無線通信装置に対して入出力端子の利用を通知して情報を要求する利用通知ステップと、
上記利用通知における情報の要求に応じて、各入出力端子に接続される機器の情報を送信する送信ステップと、
を備え、上記各入出力端子にそれぞれ接続される機器の情報を他の無線通信装置と関連付けして管理し、上記複数の入出力端子を持つ機器の入出力切替えに応じて、各入出力端子に接続される機器の情報を送受信することを特徴とする無線通信方法。
【請求項４】
複数の入出力端子を持つ機器に接続された無線通信装置における無線通信方法において、
上記複数の入出力端子を持つ機器の入出力切替えを行う入出力切替ステップと、
上記入出力切替えに応じて、無線通信を行なうために所定の無線伝送路を確保することを要求する帯域確保要求ステップと、
上記帯域確保の要求に応じて、帯域利用通知を返却する帯域利用通知ステップと、
上記帯域利用通知に応じて、選択された無線通信装置に対して情報を要求する情報要求ステップと、
上記情報の要求に応じて、各入出力端子に接続される機器の情報を送信する送信ステップと、
を備え、上記伝送帯域予約を行なった領域にて情報を送受信し、上記各入出力端子にそれぞれ接続される機器の情報を他の無線通信装置と関連付けして管理し、上記複数の入出力端子を持つ機器の入出力切替えに応じて、無線通信を行なうために所定の無線伝送路を確保して、情報を送受信することを特徴とする無線通信方法。
【請求項５】
請求項３または請求項４に記載の無線通信方法において、
上記複数の入出力端子を持つ機器の各入出力端子に対して、各無線通信装置から登録を行なうことを要求する登録要求ステップと、
上記登録要求に応じて、登録通知を返却する登録通知ステップと、
を備え、上記各入出力端子にそれぞれ接続される機器の情報を他の無線通信装置と関連付けして管理することを特徴とする無線通信方法。
【発明の詳細な説明】
【０００１】
【発明の属する技術分野】
本発明は、例えば、複数の無線通信装置の間でネットワークを構成する無線通信装置に関するものである。
【０００２】
【従来の技術】
近年、複数のパーソナルコンピュータをローカルエリアネットワーク（ＬＡＮ）として接続する方法の１つとして、パーソナルコンピュータなどに無線通信装置を接続し、複数のパーソナルコンピュータで無線ＬＡＮを構築する方法が一般的に知られている。
【０００３】
これら無線ＬＡＮでは、その無線ネットワークに接続されている無線通信装置と機器を識別するために、従来はネットワークに接続されたパーソナルコンピュータなどのモニターディスプレー上に表示を行ない、実際に接続されている機器をユーザーが目視して確認を行なう方法が一般に用いられていた。
【０００４】
つまり、何らかのデータを無線ネットワークに接続された機器に転送する場合、情報の送り元となる装置のパーソナルコンピュータなどのモニターディスプレー上で、ネットワークに接続されている機器を確認し、その転送先の機器を指定し、情報を転送するという方法が用いられてきた。
【０００５】
一方、近年無線ＬＡＮの伝送容量が増加してきて、オーディオ・ビデオ（ＡＶ）機器を無線ネットワークに組込んで無線伝送を行なう方法が考えられている。
【０００６】
従来からのオーディオ・ビデオ（ＡＶ）機器の画像伝送方法は、これらの機器の出力端子とモニター装置の入力端子を接続コードで接続し、モニター装置の入力切替えによって、所望の画像情報の表示を行なう方法が幅広く利用されていた。
【０００７】
なお、本出願人の先願として、特願２００１−２８９７６３号がある。この先願は、送信装置と受信装置をピアツーピアで動作させるために、受信装置に送信装置の識別番号（ＩＤ）を登録しておくものである。
【０００８】
【発明が解決しようとする課題】
しかし、上述したようにオーディオ・ビデオ（ＡＶ）機器を従来からの無線ネットワークに接続した場合、届け先となるモニター装置を指定するために、情報の送り元となるオーディオ・ビデオ（ＡＶ）機器にモニター装置などの何らかの表示機能を付加しなければならないという不都合があった。
【０００９】
これを解決するためにモニター装置側にて無線ネットワークに接続されている機器などの表示を行ない、その表示を元にユーザーが、モニター装置に表示を行ないたい装置を選択し、その後その装置との間で情報を伝送するという煩雑な処理が必要になっていたという不都合があった。
【００１０】
また、従来からあるオーディオ・ビデオ（ＡＶ）機器を用いた画像伝送方法では、モニター装置側の入力切替えを行なうと同時にその端子に入力されている情報を表示することができるため、ユーザーはわずらわしい操作の必要がなかったものの、無線ＬＡＮを経由して無線伝送を行なう場合には、前記の複雑な入力選択処理が必要になり使い勝手が悪いという不都合があった。
【００１１】
そこで、本発明は、かかる点に鑑みてなされたものであり、複数の無線通信装置の間において、簡単な入出力の切替え操作で、無線伝送を切替えることができる無線通信装置と、無線通信方法を提供することを課題とする。
【００１２】
例えば、モニター装置に接続された複数の機器に対して、ユーザーの簡単な入力切替え操作によって、所望の情報を無線伝送路から得る方法を実現することを課題とする。
【００１３】
【課題を解決するための手段】
本発明の無線通信装置は、複数の入出力端子を持つ機器に接続するインターフェース手段と、他の無線通信装置との間で各入出力端子にそれぞれ接続される機器の情報を交換する接続情報交換手段と、各入出力端子にそれぞれ接続される機器の情報を記憶する記憶手段と、複数の入出力端子を持つ機器の入出力切替え動作に応じて、切り替えられた入出力端子に接続される機器の情報を送受信する情報送受信手段とを備え、各入出力端子にそれぞれ接続される機器の情報を他の無線通信装置と関連付けして管理し、複数の入出力端子を持つ機器の入出力切替えに応じて、各入出力端子に接続される機器の情報を送受信するものである。
【００１４】
従って本発明によれば、以下の作用をする。
複数の入出力端子を持つ機器に接続された無線通信装置に、各入出力端子に連動した機器と接続された無線通信装置を登録しておき、複数の入出力端子を持つ機器の入出力切替え動作によって、登録された機器に接続された無線通信装置からの情報を受信したり、登録された機器に接続された無線通信装置へ情報を送信したりする。
【００１５】
また、本発明の無線通信方法は、複数の入出力端子を持つ機器の入出力切替えを行う入出力切替ステップと、入出力切替に応じて、選択された無線通信装置に対して入出力端子の利用を通知して情報を要求する利用通知ステップと、利用通知における情報の要求に応じて、各入出力端子に接続される機器の情報を送信する送信ステップとを備え、各入出力端子にそれぞれ接続される機器の情報を他の無線通信装置と関連付けして管理し、複数の入出力端子を持つ機器の入出力切替えに応じて、各入出力端子に接続される機器の情報を送受信する。
【００１６】
従って本発明によれば、以下の作用をする。
複数の入出力端子を持つ機器に接続された無線通信装置に、各入出力端子に連動した機器と接続された無線通信装置を登録しておき、複数の入出力端子を持つ機器の入出力切替えに応じて、選択された無線通信装置に対して入出力端子の利用を通知して情報を要求し、利用通知における情報の要求に応じて、各入出力端子に接続される機器の情報を送信することにより、登録された機器に接続された無線通信装置からの情報を受信したり、登録された機器に接続された無線通信装置へ情報を送信したりする。
【００１７】
また、本発明の無線通信方法は、複数の入出力端子を持つ機器の入出力切替えを行う入出力切替ステップと、入出力切替えに応じて、無線通信を行なうために所定の無線伝送路を確保することを要求する帯域確保要求ステップと、帯域確保の要求に応じて、帯域利用通知を返却する帯域利用通知ステップと、帯域利用通知に応じて、選択された無線通信装置に対して情報を要求する情報要求ステップと、情報の要求に応じて、各入出力端子に接続される機器の情報を送信する送信ステップとを備え、伝送帯域予約を行なった領域にて情報を送受信し、各入出力端子にそれぞれ接続される機器の情報を他の無線通信装置と関連付けして管理し、複数の入出力端子を持つ機器の入出力切替えに応じて、無線通信を行なうために所定の無線伝送路を確保して、情報を送受信するものである。
【００１８】
従って本発明によれば、以下の作用をする。
複数の入出力端子を持つ機器に接続された無線通信装置に、各入出力端子に連動した機器と接続された無線通信装置を登録しておき、複数の入出力端子を持つ機器の入出力切替えに応じて、無線通信を行なうために所定の無線伝送路を確保することを要求し、帯域確保の要求に応じて、帯域利用通知を返却し、帯域利用通知に応じて、選択された無線通信装置に対して入出力端子の利用を通知して情報を要求し、利用通知における情報の要求に応じて、各入出力端子に接続される機器の情報を送信することにより、登録された機器に接続された無線通信装置からの情報を受信したり、登録された機器に接続された無線通信装置へ情報を送信したりする。
【００１９】
【発明の実施の形態】
以下に、本発明の実施の形態について適宜図面を参照しながら説明する。
図１に無線ネットワークの構成例を示す。
ここではパーソナルコンピュータ５に接続された無線通信装置が制御局無線通信装置１０として動作して、無線ネットワーク１５が形成されているものとする。
【００２０】
この無線ネットワーク１５には、テレビジョン受像機などのモニター装置１に接続された無線通信装置＃１：１１、ＶＣＲ（Ｖｉｄｅｏ　Ｃａｓｓｅｔｔｅ　Ｒｅｃｏｒｄｅｒ）装置２に接続された無線通信装置＃２：１２、カメラ一体型ＶＴＲ（Ｖｉｄｅｏ　Ｔａｐｅ　Ｒｅｃｏｒｄｅｒ）装置３に接続された無線通信装置＃３：１３、ＤＶＤ（Ｄｉｇｉｔａｌ　Ｖｅｒｓａｔｉｌｅ　Ｄｉｓｃ）再生装置４に接続された無線通信装置＃４：１４、によって無線ネットワークが形成されている状態を示している。
【００２１】
図２は本実施の形態に適用される無線ネットワークシステムの接続例を表わしている。
ここでは、無線ネットワークを形成する制御局無線通信装置１０と、入出力端子（＃１）２１−１、（＃２）２１−２、（＃３）２１−３、制御線端子２１−４を複数持った機器としてのテレビジョン受像機などのモニター装置１に接続された無線通信装置（＃１）１１と、第１の機器としてのＶＣＲ装置２に入出力端子２２を介して接続された無線通信装置（＃２）１２と、第２の機器としてのカメラ一体型ＶＴＲ３に入出力端子２３を介して接続された無線通信装置（＃３）１３と、第３の機器としてのＤＶＤ再生装置４に入出力端子２４を介して接続された無線通信装置（＃４）１４によって、無線ネットワークシステムが形成されている。
【００２２】
本実施の形態では、入出力端子（＃１）２１−１、（＃２）２１−２、（＃３）２１−３、制御線端子２１−４を複数持った機器としてのテレビジョン受像機などのモニター装置１に接続された無線通信装置（＃１）１１において、入力端子（＃１）２１−１と第１の機器としてのＶＣＲ装置２に接続された無線通信装置（＃２）１２の関係が登録され、入力端子（＃２）２１−２と第２の機器としてのカメラ一体型ＶＴＲ３に接続された無線通信装置（＃３）１３の関係が登録され、入力端子（＃３）２１−３と第３の機器としてのＤＶＤ再生装置４に接続された無線通信装置（＃４）１４の関係がそれぞれ登録されていることになる。
【００２３】
図３は、本実施の形態による無線通信装置の構成例を示した図である。
この無線通信装置では、複数の入出力端子を備えた機器と接続するために、便宜上複数のインターフェースを備える構成を具体的に示しているが、１つのインターフェースを複数の入出力端子に対して切替えて利用する構成であっても良い。
【００２４】
ここでは、無線通信装置には、第１のインターフェース３１−１、第２のインターフェース３１−２、第３のインターフェース３１−３と、接続される機器との間でコントロール信号を交換するための制御線接続インターフェース３１−４が備わっている。
【００２５】
ここで、無線通信装置には、情報を無線送信するために、複数のインターフェースとしての第１のインターフェース３１−１、第２のインターフェース３１−２、第３のインターフェース３１−３のうち、どれかから届いた送信すべき情報を蓄積する送信バッファ３２が備わり、さらに情報を無線受信するために、複数のインターフェースとしての第１のインターフェース３１−１、第２のインターフェース３１−２、第３のインターフェース３１−３のうち、どれかに届ける情報を蓄積するための受信バッファ３４が備わっている。
【００２６】
さらに、無線通信装置は、本実施の形態の無線通信装置における一連の動作を司り、制御線接続インターフェース３１−４から信号に基づいて第１のインターフェース３１−１、第２のインターフェース３１−２、第３のインターフェース３１−３の切替えを行ない、この第１のインターフェース３１−１、第２のインターフェース３１−２または第３のインターフェース３１−３への通信を制御する制御部３３が備わる。制御部３３は、各入出力インターフェースと他の無線通信装置との対応関係を表わすリンク情報の登録をするリンク登録部３３−１と、各入出力インターフェースの入出力切替えをする入出力切替部３３−２とを有して構成される。
【００２７】
この制御部３３には、各入出力インターフェースと他の無線通信装置との対応を示したリンク情報を格納しておくための情報記憶部３６が備わっている。
【００２８】
そして、無線通信装置は、各種の情報を無線信号として、所定のアクセス制御に従ってアンテナ３８から無線送信するための無線送信部３５と、アンテナ３８を介して得られた信号を情報に変換する無線受信部３７が備わっている。
【００２９】
図４に本実施の形態に適用される無線通信装置に接続される機器における複数の入出力端子の構成例を示す。
ここでは、例えばモニター装置の複数の入力端子における構成例として、入力１（４１）、入力２（４２）、入力３（４３）の３つの入力系統が用意され、それぞれ、輝度信号（Ｙ）と色信号（Ｃ）を別々に処理したＳ（Ｓｅｐａｒｅｔｅ）映像端子４４、映像端子４５、左側音声（Ｌ）端子４６、右側音声（Ｒ）端子４７、が組み合わされている様子を表わしている。
【００３０】
さらに、制御情報を交換するためにコントロール端子４８が存在することで、この機器の入力を切替えた場合にその情報が通知される構成となっている。
【００３１】
図５は本実施の形態に適用される無線通信装置に接続される機器の入力を切替える手段として、リモートコントローラの構成を示す。
このリモートコントローラは、機器の電源を入力／切断する電源ボタン５１、入力を切替えるための入力１ボタン（５２）、入力２ボタン（５３）、入力３ボタン（５４）、テレビジョン受像機による受信番組を視聴する場合のＴＶボタン５５、音量の高低を調整するための音量ボタン５６、受信番組のチャネルを選択するための地上波放送チャンネルボタン５７、衛星放送チャンネルボタン５８などのボタン群などから構成されている。
【００３２】
つまり、ここに図示したリモートコントローラの入力切替えのボタンである入力１ボタン（５２）、入力２ボタン（５３）、または入力３ボタン（５４）をユーザーが操作することによって、入力切替コマンドがモニター装置１に供給され、モニター装置１の入出力端子（＃１）２１−１、（＃２）２１−２、（＃３）２１−３に対する入力が切り替わる仕組みになっている。
【００３３】
図６は、通信規格ＩＥＥＥ８０２．１５．　３のフレーム構成例を示す図である。
図６において、フレーム周期６１には、ピアツーピア接続されたネットワークにおいて、コーディネーターとなる通信局から一定のフレーム周期２１で出力されるビーコンＢ（Ｂｅａｃｏｎ）６２と、各通信局がＣＳＭＡ（ＣａｒｒｉｅｒＳｅｎｃｅ　Ｍｕｌｔｉｐｌｅ　Ａｃｃｅｓｓ）で非同期通信を行うコンテンションアクセスピリオドＣＡＰ（Ｃｏｎｔｅｎｔｉｏｎ　Ａｃｃｅｓｓ　Ｐｅｒｉｏｄ）６３と、各通信局が予約帯域を確保して帯域予約通信を行うコンテンションフリーピリオドＣＦＰ（Ｃｏｎｔｅｎｔｉｏｎ　Ｆｒｅｅ　Ｐｅｒｉｏｄ）６４を有して構成される。
【００３４】
図７は、本実施の形態に適用される無線通信装置の登録シーケンスを示した図である。
まず、ここでは、無線通信装置（＃２）１２と無線通信装置（＃１）１１の入出力端子（＃１）２１−１とが対応つけられて、この対応関係の登録動作が行なわれる様子を示している。
【００３５】
この際、無線通信装置（＃２）１２から無線通信装置（＃１）１１に無線通信装置（＃２）１２の登録を要求する無線通信装置（＃２）登録要求Ｃ１が送信され、これに応じて無線通信装置（＃２）１２と無線通信装置（＃１）１１の入出力端子（＃１）２１−１とが対応つけられて、この対応関係が登録された入出力端子（＃１）登録通知Ｒ１が無線通信装置（＃１）１１から無線通信装置（＃２）１２に返却される。
【００３６】
さらに、無線通信装置（＃３）１３と無線通信装置（＃１）１１の入出力端子（＃２）２１−２とが対応つけられて、この対応関係の登録動作が行なわれる様子を示している。
【００３７】
ここでも、無線通信装置（＃３）１３から無線通信装置（＃１）１１に無線通信装置（＃３）１３の登録を要求する無線通信装置（＃３）登録要求Ｃ２が送信され、これに応じて無線通信装置（＃３）１３と無線通信装置（＃１）１１の入出力端子（＃２）２１−２とが対応つけられて、この対応関係が登録された入出力端子（＃２）登録通知Ｒ２が無線通信装置（＃１）１１から無線通信装置（＃３）１３に返却される。
【００３８】
そして、無線通信装置（＃１）１１の入出力端子（＃３）２１−３と無線通信装置（＃４）１４とが対応つけられて、この対応関係の登録動作が行なわれる様子を示している。
【００３９】
ここでは、無線通信装置（＃１）１１から無線通信装置（＃４）１４に無線通信装置（＃１）１１の登録を要求する無線通信装置（＃１）登録要求Ｃ３が送信され、これに応じて無線通信装置（＃１）１１と無線通信装置（＃４）１４とが対応つけられて、この対応関係が登録された無線通信装置（＃４）登録通知Ｒ３が無線通信装置（＃４）１４から無線通信装置（＃１）１１に返却される。
【００４０】
無線通信装置（＃４）登録通知Ｒ３は、無線通信装置（＃４）１４から無線通信装置（＃１）１１への無線通信装置（＃４）登録要求に相当するので、これに応じて無線通信装置（＃４）１４と無線通信装置（＃１）１１の入出力端子（＃３）２１−３とが対応つけられて、この対応関係が登録された入出力端子（＃３）登録通知Ｒ４が無線通信装置（＃１）１１から無線通信装置（＃４）１４に返却される。
【００４１】
これより、無線通信装置（＃１）１１、（＃２）１２、（＃３）１３、（＃４）１４の各入出力端子（＃３）２１−３、（＃２）２１−２（＃１）、２１−１に対する、他の無線通信装置の対応関係がそれぞれ登録される。
【００４２】
また、どちらの無線通信装置からも双方向に登録要求が出されても無線通信装置は互いに登録ができる構成となっている。
【００４３】
図８は、本実施の形態に適用される無線通信装置の情報伝送シーケンスを示した図である。
まず、例えば、図５に示したリモートコントローラにおいて入力１のボタン５２をユーザーが操作した場合の処理として、入力切替えコマンドＣ１１がリモートコントローラから無線通信装置（＃１）１１へ送られて、無線通信装置（＃１）１１の入出力端子（＃１）２１−１が選択された場合に、無線通信装置（＃１）１１から無線通信装置（＃２）１２に入出力端子（＃１）利用通知Ｒ１１が送られると、無線通信装置（＃２）１２から無線通信装置（＃１）１１へ無線通信装置（＃２）情報送信Ｉ１１が行われる様子を表わしている。
【００４４】
さらに、例えば、図５に示したリモートコントローラにおいて入力２のボタン５３をユーザーが操作した場合の処理として、入力切替えコマンドＣ１２がリモートコントローラから無線通信装置（＃１）１１へ送られて、無線通信装置（＃１）１１の入出力端子（＃１）２１−２が選択された場合に、無線通信装置（＃１）１１から制御局無線通信装置１０に無線通信装置（＃１）帯域確保要求Ｃ１３が送られ、これに応じて制御局無線通信装置１０から無線通信装置（＃１）１１へ帯域利用通知Ｒ１４が返送される。
【００４５】
そして無線通信装置（＃１）１１から無線通信装置（＃３）１３に入出力端子（＃２）利用通知Ｒ１５が送られ、無線通信装置（＃３）１３から無線通信装置（＃１）１１へ無線通信装置（＃３）情報送信Ｉ１２が行われる様子を表わしている。
【００４６】
図９は、本実施の形態に適用される無線通信装置の動作を表わしたフローチャートである。
まず、Ｓ１０１で、制御部３３は、無線通信装置（＃１）１１、（＃２）１２、（＃３）１３、（＃４）１４の第１のインターフェース３１−１、第２のインターフェース３１−２または第３のインターフェース３１−３の各入出力インターフェースと他の無線通信装置との間で対応関係を表すリンク情報の登録を行なうための登録要求を受理したか否かを判断し、受理した場合にはＳ１０３に移行する。
また、受理していない場合にはＳ１０２にて制御部３３は、他の無線通信装置から登録通知を受理したか否かを判断し、受理した場合にはＳ１０３に移行する。
【００４７】
Ｓ１０３では制御部３３は、第１のインターフェース３１−１、第２のインターフェース３１−２または第３のインターフェース３１−３の各入出力インターフェースの設定中であるか否かを判断し、設定中であればＳ１０４で制御部３３はその入出力インターフェースを設定し、Ｓ１０５で制御部３３は情報記憶部３６へリンク情報の登録を行ない、Ｓ１０６で制御部３３は入出力登録通知を登録された無線通信装置に送信する。その後、Ｓ１０１に戻りデータ情報の送受信動作を実行する。
【００４８】
また、Ｓ１０３の判断で、入出力インターフェースの設定中でなければ、それらの処理を行なわずに、Ｓ１０１に移行する。
【００４９】
Ｓ１０２の判断で、登録通知を受理しなければ、Ｓ１０７にて制御部３３は無線通信装置における第１のインターフェース３１−１、第２のインターフェース３１−２または第３のインターフェース３１−３の各入出力インターフェースの入出力切替えがあるか否かを判断し、切替えられた場合には、Ｓ１０８で制御部３３は第１のインターフェース３１−１、第２のインターフェース３１−２または第３のインターフェース３１−３の各入出力インターフェースと切替えられた無線通信装置との間で対応関係を表すそのリンク情報を情報記憶部３６から獲得し、Ｓ１０９で制御部３３はインターフェースの設定を行なう。
【００５０】
ここで、Ｓ１１０で制御部３３は帯域確保が必要か否かを判断し、必要であれば、Ｓ１１１で制御部３３は帯域確保要求を制御局となる無線通信装置あてに送信し、Ｓ１１２で制御部３３はそれに応じた帯域利用通知が制御局から送られてきた場合に、Ｓ１１３で制御部３３はその入出力インターフェースの利用通知をリンク先となる無線通信装置に通知する。
【００５１】
また、Ｓ１１０の判断で、帯域確保が必要なければ、Ｓ１１３で制御部３３はその入出力インターフェースの利用通知をリンク先となる無線通信装置に通知する。
【００５２】
その後、Ｓ１１４にて制御部３３はこの通信の利用帯域が到来したか否かを判断し、到来した場合にＳ１１５でデータを送信、あるいは受信をして、入出力インターフェースと、他の無線通信装置との間でデータ通信処理を行なう。
【００５３】
さらに、Ｓ１１６で制御部３３はデータ通信が終了したか否かを判断し、終了した場合には、Ｓ１１７で制御部３３は制御局に帯域開放通知を送信して、一連の処理を終了し、Ｓ１０１に戻る処理がくり返される。
【００５４】
また、Ｓ１１４の判断で、この通信の利用帯域が到来していない場合と、Ｓ１１６の判断で、データ通信が終了していない場合にも、Ｓ１０１に戻る処理がくり返される。
【００５５】
なお、上述した本実施の形態に限らず、本発明の特許請求の範囲を逸脱しない範囲で、他の構成をとりうることはいうまでもない。
【００５６】
【発明の効果】
この発明の無線通信装置は、複数の入出力端子を持つ機器に接続された無線通信装置において、複数の入出力端子を持つ機器に接続するインターフェース手段と、他の無線通信装置との間で各入出力端子にそれぞれ接続される機器の情報を交換する接続情報交換手段と、各入出力端子にそれぞれ接続される機器の情報を記憶する記憶手段と、複数の入出力端子を持つ機器の入出力切替え動作に応じて、切り替えられた入出力端子に接続される機器の情報を送受信する情報送受信手段とを備え、各入出力端子にそれぞれ接続される機器の情報を他の無線通信装置と関連付けして管理し、複数の入出力端子を持つ機器の入出力切替えに応じて、各入出力端子に接続される機器の情報を送受信するので、複数の入出力端子を持つ機器の各入出力端子に接続される機器の情報を、他の無線通信装置と関連付けて管理することで、機器の入出力切替えに応じて複数の無線通信装置との通信を行なうことができるという効果を奏する。
【００５７】
また、複数の入出力端子を持つ機器に接続するインターフェース機能を備えた無線通信装置によって、他の無線通信装置に接続されたそれぞれの機器からの情報を効率良く通信する無線通信を実現できる。
【００５８】
これよりユーザーの意図した通信を機器の入出力切替えに応じて実現することのできる無線通信システムを構築できるという効果を奏する。
【００５９】
本発明によって、従来からの無線ＬＡＮを経由して無線伝送を行なう場合のような複雑な入力選択処理が不要になり、使い勝手が向上するという効果を奏する。
【００６０】
また、この発明の無線通信装置は、上述において、他の無線通信装置との間で無線ネットワークを形成するネットワーク形成手段と、複数の入出力端子を持つ機器の入出力切替え動作に応じて、ネットワークの制御局となる無線通信装置に対して所定の無線伝送路を確保する伝送帯域予約を行なう伝送帯域予約手段とを備え、情報送受信手段は伝送帯域予約を行なった領域にて情報を送受信し、各入出力端子にそれぞれ接続される機器の情報を他の無線通信装置と関連付けして管理し、複数の入出力端子を持つ機器の入出力切替えに応じて、無線通信を行なうために所定の無線伝送路を確保して、情報を送受信するので、それぞれの入出力端子にそれぞれ接続される機器の情報を、他の無線通信装置と関連付けして管理して、機器の入出力切替えに応じて無線通信を行なうために所定の無線伝送路を確保することで、情報の送受信が必要な場合にのみ通信を行なうことができるという効果を奏する。
【００６１】
また、この発明の無線通信方法は、複数の入出力端子を持つ機器に接続された無線通信装置における無線通信方法において、複数の入出力端子を持つ機器の入出力切替えを行う入出力切替ステップと、入出力切替に応じて、選択された無線通信装置に対して入出力端子の利用を通知して情報を要求する利用通知ステップと、利用通知における情報の要求に応じて、各入出力端子に接続される機器の情報を送信する送信ステップとを備え、各入出力端子にそれぞれ接続される機器の情報を他の無線通信装置と関連付けして管理し、複数の入出力端子を持つ機器の入出力切替えに応じて、各入出力端子に接続される機器の情報を送受信するので、複数の入出力端子を持つ機器の各入出力端子にそれぞれ接続される無線通信装置と関連付けして管理することにより、入出力切替えを持つ機器に無線通信装置を容易に接続できるという効果を奏する。
【００６２】
つまり情報を伝送する際にデバイスを探査することなく、あらかじめ関連付けられた情報を用いることができる。
【００６３】
このように複数の入出力端子を持つ機器の各入出力端子にそれぞれ接続される無線通信装置を関連付けして管理し、機器の入出力切替えに応じて、接続される機器からの情報を送受信する無線通信方法によって、情報通信に先立ち接続を指示する表示と入力を行なわずに情報を伝送する方法が得られるという効果を奏する。
【００６４】
これよりモニター装置や入力指示装置が存在しない機器同士で無線通信を行なうことができるという効果を奏する。
【００６５】
また、この発明の無線通信方法は、複数の入出力端子を持つ機器に接続された無線通信装置における無線通信方法において、複数の入出力端子を持つ機器の入出力切替えを行う入出力切替ステップと、入出力切替えに応じて、無線通信を行なうために所定の無線伝送路を確保することを要求する帯域確保要求ステップと、帯域確保の要求に応じて、帯域利用通知を返却する帯域利用通知ステップと、帯域利用通知に応じて、選択された無線通信装置に対して情報を要求する情報要求ステップと、情報の要求に応じて、各入出力端子に接続される機器の情報を送信する送信ステップとを備え、伝送帯域予約を行なった領域にて情報を送受信し、各入出力端子にそれぞれ接続される機器の情報を他の無線通信装置と関連付けして管理し、複数の入出力端子を持つ機器の入出力切替えに応じて、無線通信を行なうために所定の無線伝送路を確保して、情報を送受信するので、複数の入出力端子を持つ機器の入出力切替えに応じて、無線通信を行なうために所定の無線伝送路を確保する方法によって、所定の伝送帯域を保証した情報伝送が必要なときに無線通信を行なえる方法を実現でき、例えば情報の受信先となる通信装置からでも、無線伝送路を確保することができるという効果を奏する。
【００６６】
さらに入出力切替え動作に応じて、その入出力端子に接続される無線通信装置の情報を送受信することで、ユーザーの意図した通信を容易に実現する無線通信方法が得られるという効果を奏する。
【００６７】
複数の入出力端子を持つ機器の入出力切替え動作に応じて、ネットワークの制御局無線通信装置に対して所定の無線伝送路を確保する伝送帯域予約を行なうことで、ＱｏＳ　（Ｑｕａｌｉｔｙ　ｏｆ　Ｓｅｒｖｉｃｅ）を保証した無線通信を実現できるという効果を奏する。
【００６８】
また、この発明の無線通信方法は、上述において、複数の入出力端子を持つ機器の各入出力端子に対して、各無線通信装置から登録を行なうことを要求する登録要求ステップと、登録要求に応じて、登録通知を返却する登録通知ステップとを備え、各入出力端子にそれぞれ接続される機器の情報を他の無線通信装置と関連付けして管理するので、複数の入出力端子を持つ機器の各入出力端子に対して、各無線通信装置から登録を行なうことを要求し、登録要求に応じて、登録通知を返却することにより、複数の入出力端子を持つ機器の入出力切替えに応じて、選択された無線通信装置に対して信号を要求し、それに応じて送られてきた情報を受信することで、入力の切替えに応じて自動的に無線伝送を行なう方法を実現できるという効果を奏する。
【図面の簡単な説明】
【図１】本実施の形態に適用される無線ネットワークの構成例を示す図である。
【図２】本実施の形態に適用される無線ネットワークシステムの接続例を表わす図である。
【図３】本実施の形態に適用される無線通信装置の構成例を示した図である。
【図４】無線通信装置に接続される機器における複数の入出力端子の構成例を示す図である。
【図５】無線通信装置に接続される機器の入力を切替える手段としてのリモートコントローラの構成を示す図である。
【図６】通信規格ＩＥＥＥ８０２．１５．３フレーム構成例を示す図である。
【図７】無線通信装置の登録シーケンスを示した図である。
【図８】無線通信装置の情報伝送シーケンスを示した図である。
【図９】無線通信装置の動作を表わしたフローチャートである。
【符号の説明】
１……モニター装置、２……ＶＣＲ装置、３……カメラ一体型ＶＴＲ、４……ＤＶＤ装置、５……パーソナルコンピュータ、１０……制御局、１１……無線通信装置（＃１）、１２……無線通信装置（＃２）、１３……無線通信装置（＃３）、１４……無線通信装置（＃４）、１５……無線ネットワーク、２１−１……入出力端子（＃１）、２１−２……入出力端子（＃２）、２１−３……入出力端子（＃３）、２１−４……制御線端子、２２，２３，２４……入出力端子、３１−１……第１のインターフェース、３１−２……第２のインターフェース、３１−３……第３のインターフェース、３１−４……制御線接続インターフェース、３２……送信バッファ、３３……制御部、３４……受信バッファ、３５……無線通信部、３６……情報記憶部、３７……無線受信部、３８……アンテナ、４１……入力１入出力端子、４２……入力２入出力端子、４３……入力３入出力端子、４４……Ｓ映像入出力端子、４５……映像入出力端子、４６……音声（Ｌ）入出力端子、４７……音声（Ｒ）入出力端子、４８……コントロール入出力端子、５１……電源ボタン、５２……入力１切替ボタン、５３……入力２切替ボタン、５４……入力３切替ボタン、５６……音量ボタン、５７……地上波チャンネル選択ボタン、５８……衛星チャンネル選択ボタン
【図１】
2004135078.tif 000003
【図２】
2004135078.tif 000004
【図３】
2004135078.tif 000005
【図４】
2004135078.tif 000006
【図５】
2004135078.tif 000007
【図６】
2004135078.tif 000008
【図７】
2004135078.tif 000009
【図８】
2004135078.tif 000010
【図９】
2004135078.tif 000011